(57)【要約】【課題】シャドウマスクにおいて、平板の架張時に生じるポアソン歪を実質的になくし、ドーミング現象による色ムラを解消したカラー受像管装置を提供する。【解決手段】平板５が垂直方向に張力を印加されて架張保持されたシャドウマスクにおいて、平板５は垂直方向に長い複数のストライプ状の列板１１が水平方向に配置され、列板１１が水平方向の左右にブリッジ１２を有して、隣り合う左右の列板１２と結合している構成をとり、平板５が垂直方向に張力を印加されたときに、平板５の水平方向の長さが、水平方向の張力を印加しなくとも、実質的に変化しないように構成されている。【選択図】  図１
2004200039.tif 000002
【特許請求の範囲】
【請求項１】
蛍光体スクリーンと対向し、多数の電子ビーム通過孔が形成された金属の平板が、垂直方向に張力を印加されてフレームに架張保持されたシャドウマスクを備えるカラー受像管において、
前記平板は、垂直方向に長い列板が水平方向に多数配列され、隣り合う前記列板がブリッジを介して結合され、隣り合う前記列板の間に前記電子ビーム通過孔が垂直方向に並んで形成されたものであり、
前記列板は垂直方向に延びるジグザグ部を有し、
前記ジグザグ部は、垂直方向に対して斜めに立設された部位が垂直方向に多数連なり、前記列板の上端部と下端部との間で水平方向の蛇行を繰り返す形状を有していることを特徴とするカラー受像管。
【請求項２】
前記ジグザグ部が、前記電子ビーム通過孔が形成されていない、前記平板の周縁の無孔部にも設けられている、請求項１に記載のカラー受像管。
【請求項３】
前記ジグザグ部が、前記無孔部の水平方向の端部に形成されている、請求項２に記載のカラー受像管。
【請求項４】
前記ジグザグ部が、前記列板の板厚の部分的な差異によって形成されている、請求項１〜３のいずれかに記載のカラー受像管。
【請求項５】
前記ブリッジが、水平方向に隣り合う前記ジグザグ部の谷部どうしを結合している、請求項１〜４のいずれかに記載のカラー受像管。
【請求項６】
垂直方向に対して斜めに立設された前記部位は、垂直方向に対して角度αをなしており、
前記列板が、水平方向に異なるピッチで配列されており、前記ピッチが小さい部分での前記角度αをα１、前記ピッチが大きい部分での前記角度αをα２としたときに、α１＜α２の関係が成り立つ、請求項１〜５のいずれかに記載のカラー受像管。
【請求項７】
前記ジグザグ部が、前記列板の水平方向の端部に形成されている、請求項１に記載のカラー受像管。
【請求項８】
垂直方向に対して斜めに立設された前記部位は、垂直方向に対して角度αをなしており、
前記平板は、垂直方向の張力を印加したときに、印加しないときに比べて前記角度αが小さくなるように変形する、請求項１〜７のいずれかに記載のカラー受像管。
【請求項９】
蛍光体スクリーンと対向し、多数の電子ビーム通過孔が形成された金属の平板が、垂直方向に張力を印加されてフレームに架張保持されたシャドウマスクを備えるカラー受像管において、
前記平板は、垂直方向に長い列板が水平方向に多数配列され、隣り合う前記列板がブリッジを介して結合され、隣り合う前記列板の間に前記電子ビーム通過孔が垂直方向に並んで形成されたものであり、
前記平板が垂直方向の張力を印加されたとき、水平方向に隣り合う前記列板が垂直方向に互いに逆方向に変位することを特徴とするカラー受像管。
【請求項１０】
前記ブリッジが垂直方向と９０°より小さい角度θをなしており、
前記平板は、垂直方向の張力を印加されたときに、前記角度θが大きくなるように変形する、請求項９に記載のカラー受像管。
【請求項１１】
前記列板は板厚の部分的な差異を有しており、前記板厚の部分的な差異が設けられた箇所が、隣り合う前記列板どうしで異なる、請求項９または１０に記載のカラー受像管。
【請求項１２】
前記板厚の部分的な差異が、ハーフエッチングにより得たものである、請求項４または１１に記載のカラー受像管。
【請求項１３】
前記角度θが、水平方向または垂直方向に隣り合う前記ブリッジどうしで異なる、請求項１０〜１２のいずれかに記載のカラー受像管。
【請求項１４】
前記角度θが、ほぼ３０°から６０°の間にある、請求項１０〜１３のいずれかに記載のカラー受像管。
【請求項１５】
前記平板に垂直方向の張力を印加したときに、水平方向の張力を印加しないでも、前記平板の水平方向の長さが実質的に同じ長さを保つ、請求項１〜１４のいずれかに記載のカラー受像管。
【請求項１６】
前記平板に垂直方向の張力を印加したときに、前記ブリッジの中央部における水平方向の応力がほぼゼロである、請求項１５に記載のカラー受像管。
【発明の詳細な説明】
【０００１】
【発明の属する技術分野】
本発明は、テレビ受像機、コンピューターディスプレイ等に用いられるシャドウマスク型のカラー受像管に関し、特に、シャドウマスクを構成するストライプ状の列板の構造に関する。
【０００２】
【従来の技術】
図７は、一般的なカラー受像管の概略断面図を示す。
【０００３】
カラー受像管１は、内面に、水平方向（図７の紙面と垂直な方向。ｘ軸方向または蛍光体スクリーンの長辺方向。）と垂直方向（図７の上下方向。ｙ軸方向または蛍光体スクリーンの短辺方向。）に平面を有する蛍光体スクリーン２が形成されたフェイスパネル３と、その後方に接合されたファンネル４とから外囲器が構成され、外囲器内には、蛍光面２と対向する金属の平板５とこれを支持するフレーム６を備え、さらに、ファンネル４のネック部７に電子銃８を備えている。電子銃８からは３本の電子ビーム９（ここでは重なって１本に見えている）が射出され、電子ビーム９は、ファンネル４の外部に備えられた偏向ヨーク１０によって偏向されながら平板５に設けられた複数の電子ビーム通過孔を通過して蛍光体スクリーン２へ到達する。
【０００４】
図８は、従来のカラー受像管における、従来の架張方式のシャドウマスクの基本的な構成を示したものである。シャドウマスクは、平板５とフレーム６で構成されている。フレーム６は、平行配置された一対の長辺フレーム６ａと、長辺フレーム６ａを所定間隔で保持する一対の短辺フレーム６ｂとが固定されて、長方形状の枠体に構成されている。
【０００５】
平板５は、垂直方向に長い複数のストライプ状の列板１１が水平方向に繰り返し列配置され、隣り合う列板１１どうしはブリッジ１２でつながっている。平板５は垂直方向の張力Ｙ（図８中の矢印で示す）が印加された状態で長辺フレーム６ａに架張保持されている。列板１１の隙間のうち、ブリッジ１２が無い部分は、開口部となっており、これが電子ビーム通過孔１３として作用する。
【０００６】
平板５は、垂直方向に張力Ｙを印加されるとき、水平方向に縮んで鼓状の変形（いわゆるポアソン歪）を生じる。蛍光体スクリーン２は、平板５がフレーム６に架張保持されてポアソン歪を生じた状態で、電子ビーム通過孔１３を通過した電子ビーム９が蛍光体スクリーン２に到達する領域を予測して、その領域に合わせて蛍光体スクリーン２を複数の縦ストライプの列状に形成する。
【０００７】
この構成においては、数十ｋＶの電圧が印加されたシャドウマスクの平板５に、数十ｋｅＶの運動エネルギーに加速された電子ビーム９の８０％以上が衝突する。このとき、運動エネルギーが熱エネルギーに変換されるため、平板５の温度が上昇し、平板５自身が熱膨張する。その結果、平板５に多数設けられた電子ビーム通過孔１３の空間的な変位が生じ、電子ビーム通過孔１３を通過する電子ビーム９が所定の蛍光体に正しく当たらなくなり、色ムラが発生する。これはドーミング現象と呼ばれている。
【０００８】
このドーミング現象について、もう少し詳しく述べる。平板５は架張時に垂直方向には張力Ｙが与えられるので、この張力Ｙを十分に与えていれば、垂直方向の熱膨張は吸収することができる。ただし、垂直方向は平板５が変位しても蛍光体は縦ストライプなので、色ムラにはならない。一方、水平方向は、構造上あまり強い張力を与えることができないので、熱膨張を吸収し得ず、電子ビーム通過孔１３は水平方向に変位するが、単純に水平方向に平行移動する熱膨張であれば、所望の温度特性をもたせたフレーム保持機構（図示せず）によってフレーム６を温度上昇に応じて管軸方向にずらすことで補正できる。これによって、平板５の電子ビーム通過孔１３と電子ビーム９との相対的な位置関係は、平板５が水平および垂直に拡大または縮小して変位したのと等価になる。垂直変位は色ムラに無関係なので、結果的に電子ビーム通過孔１３が水平移動したのと同じ効果が得られる。
【０００９】
しかし実際には、単純な水平方向の平行移動だけでなく、別の水平変位成分が重畳される。別の水平変位成分とは、平板５の垂直方向の張力Ｙが熱膨張によって弱まることにより、上記のポアソン歪が緩和され、平板５が水平方向に膨らむ成分である。これは、単純に水平方向に平行移動する熱膨張とは異なり、鼓状のポアソン歪の戻り量として作用するので、場所によって水平方向の変位量が異なり、フレーム６を管軸方向にずらすだけでは補正できず、色ムラを免れ得ない。この水平方向の不均一な変位成分を低減するには、平板５の架張時の変形量を予め小さくするポアソン歪対策を講じるしかない。
【００１０】
ポアソン歪対策の一例としては、複数のストライプ状の列板１１を水平方向に連結しているブリッジ１２の数を減らす手段が知られている（例えば、特許文献１参照）。ブリッジ１２の数が減れば、一つの列板１１の水平方向のポアソン歪量がブリッジ１２で連結された隣の列板１１を変位させて、次々に隣の列板１１へと変位量が加算されて行く現象を軽減できるため、平板５全体のポアソン歪量を低減できる。ただし、この従来例では、ただ単にブリッジ１２の数を減らすと、画面上でブリッジ１２の有る所と無い所の局所的な輝度差が視認されてしまい、固定パターンの画面ノイズとなる。この対策として、ブリッジ１２を無くした部分に、ブリッジ１２がある場合とほぼ等量の電子ビームを遮蔽する突起を設けて対策している。このように、列板１１を連結する作用は有さずに見かけ上ブリッジが存在するかのように電子ビームを遮蔽する効果を有する突起は、擬似ブリッジとも呼ばれている。
【００１１】
【特許文献１】
特開２００１−８４９１８号公報
【００１２】
【発明が解決しようとする課題】
しかし、上記のポアソン歪対策は、ドーミング現象に対して抑制効果を発揮する一方で、設計どおりに平板５および蛍光体スクリーン２を精度よく製作することが難しく、製造上のわずかな誤差が輝度差による画面ノイズとして視認されてしまうという問題があった。
【００１３】
また、精度よく設計どおりに平板５および蛍光体スクリーン２を製作できたとしても、なんらかの影響でわずかに電子ビーム９の軌道が変化すると、ブリッジ１２と擬似ブリッジとの電子ビーム遮蔽量のバランスが変化し、再び画面ノイズが発生するという問題があった。
【００１４】
本発明は、上記のような問題点に鑑みてなされたものであって、平板５の架張時に生じる平板５全体としてのポアソン歪を設計段階で制御できるようにし、ポアソン比を実質的にゼロ（ポアソン歪が実質的に生じない状態）にするよう設計することで、ドーミング現象による色ムラを解消したカラー受像管を提供することを目的とする。
【００１５】
【課題を解決するための手段】
上記目的を達成するために、本発明のカラー受像管は、蛍光体スクリーンと対向し、多数の電子ビーム通過孔が形成された金属の平板が、垂直方向に張力を印加されてフレームに架張保持されたシャドウマスクを備えるカラー受像管において、前記平板は、垂直方向に長い列板が水平方向に多数配列され、隣り合う前記列板がブリッジを介して結合され、隣り合う前記列板の間に前記電子ビーム通過孔が垂直方向に並んで形成されたものであり、前記列板は垂直方向に延びるジグザグ部を有し、前記ジグザグ部は、垂直方向に対して斜めに立設された部位が垂直方向に多数連なり、前記列板の上端部と下端部との間で水平方向の蛇行を繰り返す形状を有していることを特徴とする（請求項１）。
【００１６】
この構成によれば、平板をフレームに架張保持したときのポアソン歪を抑制することができ、ポアソン歪に起因するドーミング現象を抑制できる。
【００１７】
また、前記ジグザグ部が、前記電子ビーム通過孔が形成されていない、前記平板の無孔部にも設けられている（請求項２）。ジグザグ部を、無孔部すなわちデッドスペースにも設けることにより、平板５にデッドスペースを設けても、ポアソン歪を低減することができる。
【００１８】
また、前記ジグザグ部が、前記無孔部の水平方向の端部に形成されている（請求項３）。これにより、ジグザグ形状を簡単に列板に形成できる。
【００１９】
また、前記ジグザグ部が、前記列板の板厚の部分的な差異によって形成されている（請求項４）。これにより、電子ビーム通過孔にはジグザグ部が影響しないようにしながら、同時に列板にジグザグ形状を形成することができる。
【００２０】
また、前記ブリッジが、水平方向に隣り合う前記ジグザグ部の谷部どうしを結合している（請求項５）。このように構成することで、列板架張時のジグザグ形状の変形を効率よくブリッジの水平応力に影響させることができる。
【００２１】
また、垂直方向に対して斜めに立設された前記部位は、垂直方向に対して角度αをなしており、前記列板が、水平方向に異なるピッチで配列されており、前記ピッチが小さい部分での前記角度αをα１、前記ピッチが大きい部分での前記角度αをα２としたときに、α１＜α２の関係が成り立つことが好ましい（請求項６）。なぜなら、列板の水平ピッチが大きくなるとポアソン比が正の方向（従来のポアソン歪の変形方向）になりやすいからであり、一方でαは大きいほどポアソン比を負の方向に変化させる効果が強まるからである。
【００２２】
また、前記ジグザグ部が、前記列板の水平方向の端部に形成されている（請求項７）。これにより、ジグザグ形状を簡単に列板に形成できる。
【００２３】
また、垂直方向に対して斜めに立設された前記部位は、垂直方向に対して角度αをなしており、前記平板は、垂直方向の張力を印加したときに、印加しないときに比べて前記角度αが小さくなるように変形する（請求項８）。このようにすることにより、ブリッジの水平方向の応力を調整することができる。
【００２４】
また、本発明のカラー受像管は、蛍光体スクリーンと対向し、多数の電子ビーム通過孔が形成された金属の平板が、垂直方向に張力を印加されてフレームに架張保持されたシャドウマスクを備えるカラー受像管において、前記平板は、垂直方向に長い列板が水平方向に多数配列され、隣り合う前記列板がブリッジを介して結合され、隣り合う前記列板の間に前記電子ビーム通過孔が垂直方向に並んで形成されたものであり、前記平板が垂直方向の張力を印加されたとき、水平方向に隣り合う前記列板が垂直方向に互いに逆方向に変位することを特徴とする（請求項９）。この構成によれば、ジグザグ部を列板に形成する必要がない。
【００２５】
また、前記ブリッジが垂直方向と９０°より小さい角度θをなしており、前記平板は、垂直方向の張力を印加されたときに、前記角度θが大きくなるように変形する（請求項１０）。これにより、ブリッジの水平方向の長さが大きくなるので、列板の水平方向の縮み量を補って、ポアソン比を制御することができる。
【００２６】
また、前記列板は板厚の部分的な差異を有しており、前記板厚の部分的な差異が設けられた箇所が、隣り合う前記列板どうしで異なる（請求項１１）。このようにすることにより、垂直方向に張力が印加された際に、板厚の薄い部分が厚い部分と比べてより多く垂直方向に伸びるので、隣り合う列板の垂直方向の変位に差を生じさせることができる。
【００２７】
また、前記板厚の部分的な差異が、ハーフエッチングにより得たものである（請求項１２）。このようにすることにより、列板やデッドスペースに容易に板厚の差異を設けることができる。
【００２８】
また、前記角度θが、水平方向または垂直方向に隣り合う前記ブリッジどうしで異なる（請求項１３）。このようにすることにより、平板全体の各点で最適にポアソン比の制御が容易になる。
【００２９】
また、前記角度θが、ほぼ３０°から６０°の間にあることが好ましい（請求項１４）。この間の角度にあるとき、隣り合う列板の変位差に対してブリッジの水平方向の変化がもっとも大きくなるからである。
【００３０】
また、前記平板に垂直方向の張力を印加したときに、水平方向の張力を印加しないでも、前記平板の水平方向の長さが実質的に同じ長さを保つことが好ましい（請求項１５）。この構成によれば、平板をフレームに架張保持してもポアソン歪が発生しないので、ポアソン歪に起因するドーミング現象を解消できる。
【００３１】
また、前記平板に垂直方向の張力を印加したときに、前記ブリッジの中央部における水平方向の応力がほぼゼロであることが好ましい（請求項１６）。このようにすることにより、ポアソン歪を解消する構成が実現できる。
【００３２】
【発明の実施の形態】
以下、本発明の実施の形態について、図面を参照しながら説明する。
【００３３】
図７および図８を用いて説明したカラー受像管の各構成は、本発明でも同様であるので、その説明は省略する。
【００３４】
図１は、本実施の形態に係るカラー受像管の平板５のフレーム６への架張前の状態を、一部を拡大してスクリーン側から見た模式図である。
【００３５】
平板５に設けられたストライプ状の列板１１は、ハーフエッチングによって部分的に板厚を薄くしたハーフエッチング部１４が形成されており、エッチングされずに残った板厚の厚い部分がジグザグ状になるように加工されている。この部分をジグザグ部１５と呼ぶことにする。ジグザグ部１５は、垂直方向に対して斜めに立設された部位が垂直方向に多数連なり、列板１１の上端部と下端部との間で水平方向の蛇行を繰り返す形状を有している。
【００３６】
なお、図１において、ハーフエッチング部１４に平行斜線を引いているが、これは説明の便宜のためであり、切断面を示すものではない（図２、５、６において同じ）。
【００３７】
垂直方向に平行な中心線１６とジグザグ部１５とのなす角度の絶対値のうち９０°より小さい方の値をαとする。電子ビーム通過孔１３を水平に横切って隣り合う列板１１どうしを連結するブリッジ１２は、列板の厚い部分として列板の内部まで延長されジグザグ部１５の谷の部分と結合する。
【００３８】
このパターンは、平板５全面で、多少寸法が変化するものの、連続して同様のパターンを繰り返し、平板の周辺に設けられたデッドスペース１７（無孔部）においても、板厚の厚い部分として同様のパターンが連続するように形成され、平板５の端部は、同図に示すようにジグザグ状のパターンで終端される。
【００３９】
また、電子ビーム通過孔１３の水平幅をＷ、垂直の長さをＨ、列板の水平幅をＳと表記することにする。
【００４０】
次に、図２は、平板５が垂直方向に張力Ｙ（図７参照）を印加されてフレーム６に架張保持され、変形した状態を多少誇張した表現で示す。
【００４１】
垂直に架張された結果、架張前のＷ、Ｈ、Ｓはそれぞれブリッジの垂直方向の中心を通る水平軸１８において、Ｗ’、Ｈ’、Ｓ’に変化する。このとき、平板５の列板１１が垂直に架張されて垂直方向に伸びるので、電子ビーム通過孔１３の垂直方向の長さも大きくなる。また、列板１１が垂直に延びた分、ポアソン歪が発生し、列板１１の水平幅は縮む。すなわち、Ｗ’＞Ｗ、Ｓ’＜Ｓとなる。
【００４２】
ただし、ブリッジ１２が電子ビーム通過孔１３を横切る部分の水平方向の長さ（たとえば、図２中の点Ａ１と点Ａ２との距離）は変化しないので、このままであれば列板１１の水平幅の縮み量に列板の水平方向の繰り返し数を乗算した分だけ平板５が水平方向に縮むことになるが、本発明では、ここで平板５の水平幅が縮まない工夫がされている。
【００４３】
それは、列板１１内に形成されたジグザグ部１５が、垂直方向に張力を受けた結果、ジグザグ状から直線状に向かう方向に変形し、角度αが減少することを利用している。その結果、列板１１が前記ジグザグ部１５とは逆の角度にジグザグ状に変形し、ブリッジ１２を隣の列板１１側へ押し出す作用が発生する。このときのブリッジ１２の水平方向の変位量をΔＷとすると、ΔＷ＝Ｓ−Ｓ’であれば、Ａ１、Ａ２に対して、Ａ３、Ａ４の位置は、平板５の架張前と架張後で変化しないので、平板５は水平幅が変化しないわけである。言い換えると、このときブリッジの水平方向の中央部付近においては応力がほぼゼロであると言える（従来の技術では、ブリッジ１２の中央付近には架張時に必ず水平方向の張力が発生する）。
【００４４】
一方、列板１１の水平幅がＨからＨ’に減少した分は、水平軸１８上での電子ビーム通過孔１３の水平幅のＷからＷ’への増加（Ｗ’＝Ｗ＋２ΔＷ）となって現れるが、これは平板５の水平幅には影響しない。
【００４５】
＜本発明の具体例＞
図３は、より実際的な設計形状を一例として示す。図３は、平板５に形成されるパターンの一部を切り出したものの斜視図であり、これらが連続的に繰り返すパターンを用いて画面全域に対応する平板が形成されている。
【００４６】
平板５として、板厚Ｔ＝０．１５ｍｍの鉄板材を用い、ａH＝０．４９ｍｍ、ａV＝１．１５７ｍｍ、Ｈ＝０．９９５ｍｍ、Ｗ＝０．１２５ｍｍ、Ｐ＝０．１ｍｍ、Ｇ＝０．０５ｍｍとした場合、ハーフエッチング部１４の板厚ｔ＝０．５ｍｍ、α＝７０°〜８０°程度に調整することで、ポアソン比を実質的にゼロにすることができる。主としてポアソン比の調整パラメータはｔとαであり、ｔおよび／またはαを小さくするとポアソン比が負になる方向に動かすことができる。
【００４７】
ただし、平板５の位置によってそれぞれパターンの寸法が微妙に異なる設計となる。これは主として電子ビーム９の平板５および蛍光体スクリーン２への入射角が異なることに対応しており、例えば、列板１１の水平方向の繰り返しピッチａHは、平板５の水平方向の中央付近で最も小さく、水平方向周辺に向けて徐々に大きくなるように一般的に設計されている。
【００４８】
これに対応して、常に平板５のどの位置においても常に、ブリッジ１２が電子ビーム通過孔１３を横切る部分の水平方向の長さを一定に保つためには、ａHの変化に合わせて、ジグザグ部１５の角度αが変化する設計にする必要がある。すなわち、ａHが大きくなるにつれて、αの絶対値の設計値を大きくすることで対応できる。ａHが小さい部分でのαをα１、大きい部分をα２とした場合に、α１＜α２である。
【００４９】
このような設計の平板５をフレーム６に架張保持した状態で、フェイスパネル３の内面に向き合うように配置し、電子ビーム通過孔１３の空間的な位置関係に対応するように蛍光体スクリーン２がＲ（赤）、Ｇ（緑）、Ｂ（青）の蛍光体の繰り返しのストライプ状に形成され、カラー受像管として組み立てられる。
【００５０】
＜本発明の作用＞
次に、本発明のカラー受像管の動作中の作用について説明する。
【００５１】
従来例で述べたように、電子ビーム９の大半が平板５に衝突して平板５を温度上昇させ熱膨張を引き起こす。このとき、垂直方向の熱膨張に関しては、従来例と同様に、列板１１は垂直方向に張力Ｙが充分に張力が与えられていれば、吸収することができる。一方、水平方向に関しては、列板１１の垂直方向の張力Ｙが熱膨張によって弱まることにより、ポアソン歪が緩和され、列板１１の水平幅Ｓ’は増加する方向（架張前の水平幅Ｓへ戻る方向）へ変化する。
【００５２】
ここで、本発明と従来例との大きな違いは、Ｓ’が増加しても平板５の水平幅が変化しない点である。すなわち、垂直方向の張力Ｙが熱膨張によって緩和された結果、ジグザグ部１５の角度αが増加するため、架張時とは逆の作用が発生し列板１１のジグザグ状の変形は元の直線状に戻る方向へ変化する。その結果、ブリッジ１２が隣の列板１１側から引き戻される作用が発生し、ΔＷが減少する。このΔＷの減少分と列板１１の水平幅Ｓ’の増加分がほぼ等しいので、平板５の水平幅は変化しない。
【００５３】
また、平板５のデッドスペースにおいては電子ビーム通過孔が存在しないのでポアソン比は正になる傾向にあるため、ここに形成するジグザグ部１５の水平方向の繰り返しピッチは、列板１１に形成するジグザグ部１５に対して大きくとることが望ましい。
【００５４】
また、平板５の水平端部においても、最後までポアソン比をゼロにすることが好ましいので、平板５の端部はジグザグ部で終端する（端部がジグザグ状になる）ことが望ましい。
【００５５】
以上の構成により、平板５のポアソン比を実質的にゼロ（ポアソン歪が実質的に生じない状態）にするよう設計することで、ドーミング現象による色ムラを解消することができる。
【００５６】
＜本発明の変形例＞
以上、本発明の実施の形態について説明してきたが、本発明の内容は、ここに示された具体例に限定されない。例えば、以下のような変形例を考えることができる。
【００５７】
（第１の変形例）
図４は、第１の変形例を示す。
【００５８】
上記実施の形態では、ジグザグ部１５を列板１１の内部に形成した。これに限らず、例えば図４に示すように、列板１１自身の端部をデッドスペースの端部のように垂直方向に対して角度αで構成されるジグザグ状にすることができる。
【００５９】
この場合は、エッチングによって列板１１の板厚に部分的な差異を設ける必要がなくなる。ただし、電子ビーム通過孔１３もジグザグ状になるので、用途やサイズを考慮して画質に影響しない設計が可能な場合に限られる。
【００６０】
（第２の変形例）
図５は、第２の変形例を示す。
【００６１】
上記実施の形態では、列板のジグザグ部が垂直方向の張力によってブリッジを隣の列板へ向かって水平方向に押し出すことで、平板全体のポアソン歪を解消していた。これに限らず、例えば図５に示すように、ブリッジ１２が垂直方向とのなす角度の絶対値のうち９０°より小さい方の値がθとなるように斜めに形成し、垂直方向の張力によって隣り合う列板１１どうしが互いに異なる方向へ変位するようにしてもよい。
【００６２】
この場合、ブリッジが隣り合う列板１１に向かって下向きにブリッジ１２が形成されている列板１１ａにおいては、その列板１１ａの上端と平板のデッドスペースとの結合部付近の板厚が薄く形成されたハーフエッチング部１４（図中に平行斜線で示したハーフエッチング部１４）であることが必要である。一方、ブリッジが隣り合う列板１１に向かって上向きにブリッジ１２が形成されている列板１１ｂにおいては、その列板１１ｂの下端と平板のデッドスペースとの結合部付近の板厚が薄く形成されたハーフエッチング部１４であることが必要である。
【００６３】
こうすることにより、垂直方向の張力が印加された場合に、ハーフエッチング部１４が、列板１１の板厚の厚い部分に比べてより多く垂直方向に伸びるので、列板１１ａの板厚の厚い部分は列板１１ｂの板厚の厚い部分に対して下向きに変位する。その結果、ブリッジ１２の角度θが大きくなり、ブリッジ１２が水平方向と平行に近づく方向に回転し、ブリッジ１２の水平方向の長さが実効的に増加して、列板１１の水平幅Ｗの架張による縮み量ΔＷ（図示せず）をキャンセルする。
【００６４】
これによって、平板５の水平幅は架張の前後で変化しないので、架張によるポアソン歪は吸収され、熱膨張時にも上記実施の形態の一例で述べたようにドーミング現象を改善する。このとき、角度θの絶対値は３０°から６０°の間に設計すると、架張時のブリッジ１２の水平方向の実効的な長さの拡大が効率よく得られる。
【００６５】
また、ブリッジ１２は、一列ごとに垂直方向の位置を１／２ピッチずらして構成してもよい。
【００６６】
（第３の変形例）
図６は、第３の変形例を示す。
【００６７】
図６に示すように、列板１１の板厚の薄い部分（図中に平行斜線で示したハーフエッチング部１４）はブリッジ１２の結合間隔を狭く、列板１１の板厚の厚い部分はブリッジ１２の結合間隔を広く形成して、前記板厚の薄い部分を隣り合う列板１１どうしで異なる位置に配置してもよい。
【００６８】
この場合の原理は、第２の変形例とほぼ同様である。垂直方向に張力が印加されたときにハーフエッチング部１４が列板１１の板厚の厚い部分より多く伸びることで、角度θの絶対値が大きくなり、ブリッジ１２の水平方向の実効的な長さが長くなる方向に変化して、列板１１の水平幅Ｗの縮み量ΔＷをキャンセルする。
【００６９】
熱膨張に関しても、第２の変形例と同様に、架張時と逆の動きをして原理が成立する。
【００７０】
【発明の効果】
以上のように、本発明に係るカラー受像管によれば、シャドウマスクの平板の水平方向の変位を実質的にゼロ（ポアソン歪が実質的に生じない状態）にするよう設計することで、ドーミング現象による色ムラを解消することができる。
【図面の簡単な説明】
【図１】本発明のカラー受像管が備えるシャドウマスクの平板（架張前）の一部拡大平面図
【図２】同じくシャドウマスクの平板（架張後）の一部拡大平面図
【図３】同じくシャドウマスクの平板の一部拡大斜視図
【図４】本発明の第１の変形例のシャドウマスクの平板の模式平面図
【図５】本発明の第２の変形例のシャドウマスクの平板の模式平面図
【図６】本発明の第３の変形例のシャドウマスクの平板の模式平面図
【図７】一般的なカラー受像管の側面断面図
【図８】従来のシャドウマスクの斜視図
【符号の説明】
１  カラー受像管
２  蛍光体スクリーン
３  フェイスパネル
４  ファンネル
５  平板
６  フレーム
７  ネック部
８  電子銃
９  電子ビーム
１０  偏向ヨーク
１１  列板
１２  ブリッジ
１３  電子ビーム通過孔
１４  ハーフエッチング部
１５  ジグザグ部
１６  中心線
１７  デッドスペース
１８  水平軸
【図１】
2004200039.tif 000003
【図２】
2004200039.tif 000004
【図３】
2004200039.tif 000005
【図４】
2004200039.tif 000006
【図５】
2004200039.tif 000007
【図６】
2004200039.tif 000008
【図７】
2004200039.tif 000009
【図８】
2004200039.tif 000010